(57)【特許請求の範囲】
【請求項１】
宛先表示部と受領証部とを備える表示基材と、
前記表示基材の受領証部の下面側に形成された剥離層と、
前記剥離層の下面側に形成され、前記受領証部を剥離可能に接着する透明若しくは半透明な粘着剤保護層と、
前記粘着剤保護層の下面側に形成され、前記受領証部の剥離後に目視可能な伝達情報が印刷された印刷層と、
前記宛先表示部及び前記印刷層の下面側に形成され、前記表示基材を荷物に貼付可能な粘着剤層と、
前記粘着剤層の下面側に形成され、前記粘着剤層を保護し、情報表示層を有する剥離紙と
を有する配送伝票。
【請求項２】
宛先表示部と受領証部とを備える表示基材と、
前記表示基材の受領証部の下面側に形成された剥離層と、
前記剥離層の下面側に形成され、前記受領証部を剥離可能に接着する透明若しくは半透明な粘着剤保護層と、
前記粘着剤保護層の下面側に形成され、前記受領証部の剥離後に目視可能な伝達情報が印刷された印刷層と、
前記宛先表示部及び前記印刷層の下面側に形成され、前記表示基材を荷物に貼付可能な粘着剤層と、
前記粘着剤層の下面側に形成され、前記粘着剤層を保護し、情報記入層を有する剥離紙と
を有する配送伝票。
【請求項３】
請求項２に記載の配送伝票において、前記剥離紙の前記情報記入層は、圧力で発色する層であることを特徴とする配送伝票。
【発明の詳細な説明】
【０００１】
【発明の属する技術分野】
本発明は、百貨店の商品や運送会社の宅配荷物に貼付する配送伝票に関し、特に荷物の受注から顧客の受取までを１枚のシートで管理することが可能な配送伝票に関するものである。
【０００２】
【従来の技術】
従来、この種の配送伝票は、感圧紙を複数枚積層した伝票が広く普及している。しかし、この種の配送伝票では、宛名等を書き込む際に、強い圧力を加えないと一番下の伝票まで鮮明に書き込むことができないため、ボールペンやインパクトプリンターを使用せざるを得なかった。そのため、伝票の記入に時間がかかり、短期間に多量の荷物を扱う百貨店等から配送伝票の発行のスピードアップが望まれていた。
【０００３】
このような市場からの要請を受けて、高速印字が可能なノンインパクトプリンターを使用できる配送伝票が開示されている（特開平７−１３４５５４公報）。
この配送伝票によれば、１枚の表示基材を区画して、宛先票や受領票として使用するので、表示基材にのみ情報を印字すればよい。そのため、ノンインパクトプリンターを使用でき、配送伝票の発行が短時間で行える。
【０００４】
【発明が解決しようとする課題】
しかし、前述した特開平７−１３４５５４公報の配送伝票では、荷物依頼主の控え票が必要なときは、荷物依頼主用の控え票を表示基材にさらに設け、必要事項を記入しなければならない。このように同じような情報を何度も繰り返し記入する作業を手書きでおこなうのは、非常に手間のかかる作業であって、また、誤記してしまう恐れがあり、コンビニエンスストアの窓口等で宅配荷物の配送依頼をするときなどには、このような伝票はあまり使用されていなかった。
【０００５】
本発明の課題は、ノンインパクトプリンターを使用すれば、高速印字が可能であり、また、手書きやインパクトプリンターを使用すれば、控えをとることが可能な配送伝票を提供することである。
【０００６】
【課題を解決するための手段】
前記課題を解決するために、請求項１の発明は、宛先表示部（１１ａ）と受領証部（１１ｂ）とを備える表示基材（１１）と、前記表示基材（１１）の受領証部（１１ｂ）の下面側に形成された剥離層（１１ｆ）と、前記剥離層（１１ｆ）の下面側に形成され、前記受領証部（１１ｂ）を剥離可能に接着する透明若しくは半透明な粘着剤保護層（１２）と、前記粘着剤保護層（１２）の下面側に形成され、前記受領証部（１１ｂ）の剥離後に目視可能な伝達情報が印刷された印刷層（１２ａ）と、前記宛先表示部（１１ａ）及び前記印刷層（１２ａ）の下面側に形成され、前記表示基材（１１）を荷物に貼付可能な粘着剤層（１３）と、前記粘着剤層（１３）の下面側に形成され、前記粘着剤層（１３）を保護し、情報表示層（１４ａ）を有する剥離紙（１４）とを有する配送伝票である。
【０００７】
請求項２の発明は、宛先表示部（２１ａ）と受領証部（２１ｂ）とを備える表示基材（２１）と、前記表示基材（２１）の受領証部（２１ｂ）の下面側に形成された剥離層（２１ｆ）と、前記剥離層（２１ｆ）の下面側に形成され、前記受領証部（２１ｂ）を剥離可能に接着する透明若しくは半透明な粘着剤保護層（２２）と、前記粘着剤保護層（２２）の下面側に形成され、前記受領証部（２１ｂ）の剥離後に目視可能な伝達情報が印刷された印刷層（２２ａ）と、前記宛先表示部（２１ａ）及び印刷層（２２ａ）の下面側に形成され、前記表示基材（２１）を荷物に貼付可能な粘着剤層（２３）と、前記粘着剤層（２３）の下面側に形成され、前記粘着剤層（２３）を保護し、情報記入層を有する剥離紙（２４）とを有する配送伝票である。
【０００８】
請求項３の発明は、請求項２に記載の配送伝票において、剥離紙の情報記入層は、圧力で発色する層（２４ｄ、２４ｅ）であることを特徴とする配送伝票である。
【０００９】
【発明の実施の形態】
以下、図面等を参照して、本発明の実施の形態について、さらに詳しくに説明する。
（第１実施形態）
図１は、本発明による配送伝票の第１実施形態を示す図である。
配送伝票１０は、図１（Ｂ）に示すように、表示基材１１と、粘着剤保護層１２と、印刷層１２ａと、粘着剤層１３と、剥離紙１４とを備えている。
【００１０】
表示基材１１は、図１（Ａ）に示すように、受取人の宛名等を表示する宛先表示部１１ａと、荷物が受取人に届いたときに受領印を捺す受領証１１ｂとを備え、切り離し予定線１１ｅで区画されている。
表示基材１１としては、クラフト紙，上質紙，複写用紙，グラシン紙，パーチメント紙，レーヨン紙，コート紙，合成紙，樹脂フィルムによりラミネートされた紙等の紙が好適に用いられるが、セロファン，延伸ポリプロピレン，ポリエチレンテレフタレート，延伸ポリスチレン，ポリ塩化ビニル等の樹脂フィルムであってもよい。表示基材の厚さは、通常は、２０〜２００μｍ程度が好ましい。
【００１１】
受領証１１ｂは、下面に剥離層１１ｆを有しており、粘着剤保護層１２に剥離可能に接着されている。
剥離層１１ｆとしては、接着性の低い樹脂を使用することが望ましく、ポリエチレン，ポリプロピレン，ポリブチレン等のオレフィン系（共）重合体を用いることが最も好ましいが、他にも、ポリスチレン、ポリビニルブチラール、酢酸ビニル共重合体、エチレン−酢酸ビニル共重合体、塩化ビニル−酢酸ビニル共重合体、アクリル樹脂、セルロース樹脂等の熱可塑性樹脂およびこれらの混合物からなるフィルムでもよい。また、ポリウレタン等の熱硬化性樹脂等から形成されたフィルムを用いてもよい。さらに、所望に応じて、酸化防止剤、熱安定剤、紫外線吸収剤、スリップ剤、帯電防止剤、防曇剤、着色剤、フィラー等が添加されていてもよい。
【００１２】
剥離層１１ｆの塗布量・塗布厚は特に限定されないが、好ましくは、塗布量は０．１〜１０ｇ／ｍ2 であり、塗布厚は０．１〜１０μｍである。また、粘着剤保護層１２との接着力は、Ｔ字剥離法（３００ｍｍ／ｍｉｎ）で、５〜２００ｇ／２５ｍｍが望ましい。さらに、後述の通り製造するため、粘着剤保護層１２が塗布可能な濡れ性を有することが望ましい。
なお、表示基材１１が、樹脂フィルムのときは、剥離層を省略してもよい。
【００１３】
粘着剤保護層１２は、受領証１１ｂが剥離された後、粘着剤層１３の粘着剤を保護する層であり、その下面に印刷層１２ａを備える。粘着剤保護層１２の色は、透明若しくは半透明である。
粘着剤保護層１２としては、被膜性が高くて軟らかい性質もののが望ましく、ポリウレタンを使用することが最も好ましいが、他にも、ポリ塩化ビニル、ポリエチレンテレフタレート、ポリカーボネートなどの透明なシートを用いてもよい。
【００１４】
粘着剤保護層１２は、Ｔｇが３０℃以上でタックがないものが好ましい。
粘着剤保護層１２の塗布量・塗布厚は特に限定されないが、好ましくは、塗布量は０．１〜２０ｇ／ｍ2 であり、塗布厚は０．１〜２０μｍである。
【００１５】
印刷層１２ａは、受領証１１ｂが剥離された後、目視可能となる伝達情報を表示する層であり、粘着剤保護層１２の下面に鏡像で印刷されている。
印刷方法としては、オフセット印刷、フレキソ印刷、グラビア印刷等が用いられる。
また、インキもＵＶ硬化型インキ、酸化重合乾燥型インキ等が使用できる。
【００１６】
粘着剤層１３は、荷物に配送伝票１０を貼付可能とする層であり、アクリル系粘着剤が最も好ましいが、天然ゴム系粘着剤、合成ゴム系粘着剤、シリコーンゴム系粘着剤等でもよい。
粘着剤層１３の塗布量・塗布厚は特に限定されないが、好ましくは、塗布量は０．１〜５０ｇ／ｍ2 であり、塗布厚は０．１〜５０μｍである。
粘着剤層１３の粘度は、配送伝票を後述の通り作製するため、１００００〜１０００００ｍＰａ・ｓ程度が望ましい。
荷物等の被着体に対する粘着剤層１３の接着力は、剥離層１１ｆと粘着剤保護層１２との接着力よりも大きい必要があり、荷物等の被着体に応じて、適宜、調整が必要である。
また、剥離紙１４と粘着剤層１３との接着力は、製品の使用時に、剥離層１１ｆと粘着剤保護層１２を剥離させないために、剥離層１１ｆと粘着剤保護層１２との接着力よりも小さい必要がある。
【００１７】
剥離紙１４は、粘着剤層１３を保護する紙である。剥離紙１４は、剥離紙基材の上に情報表示層１４ａを有しており、さらにその上面、すなわち、粘着剤層１３の側の面には、シリコーン系離型剤などにより剥離処理がなされている。
剥離紙１４の厚さは、特に限定はされないが、通常２０〜２００μｍ、好ましくは４０〜１００μｍ程度である。
情報表示層１４ａには、たとえば、表示基材１１に対応したバーコードが印刷されていて、配送伝票を荷物に貼付後、控えにすることができる。
【００１８】
配送伝票１０は、以下のよう作製する。
（１）表示基材１１に剥離層１１ｆ、粘着剤保護層１２をこの順で塗布し、伝達情報を鏡像で印刷して印刷層１２ａを形成する。このように、粘着剤保護層１２は、剥離層１１ｆの上に塗布するので、前述の通り、剥離層１１ｆは、粘着剤保護層１２が塗布可能な濡れ性を有することが望ましい。
（２）一方、剥離紙１４に粘着剤層１３を形成する。このとき、剥離紙１４の離型剤に弾かれないように粘着剤層１３の粘着剤の粘度を高くしておくことが好ましく、前述の通り、粘度は、１００００〜１０００００ｍＰａ・ｓ程度が望ましい。
（３）最後に、（１）で作られた表示基材と、（２）で作られた粘着剤層を貼り合わせる。
【００１９】
配送伝票１０は、以下のように使用する。
（１）荷物依頼主は、コンビニエンスストア等の発送窓口で、荷物の配送依頼を行う。
（２）荷物依頼主は、配送伝票１０の剥離紙１４を剥がして、荷物に配送伝票１０を貼付する。
（３）配送伝票１０の剥離紙１４には、バーコードが印刷されているので、荷物依頼主及び発送窓口は、剥離紙１４を発送控えに利用することができる。
【００２０】
本実施形態によれば、表示基材１１に、少なくとも宛先表示部１１ａと受領証部１１ｂとを備えるので、ノンインパクトプリンターを使用して、高速印字が可能な配送伝票１０を提供できる。
また、剥離紙１４は、情報表示層１４ａを有するので、配送伝票の利用者は、荷物に配送伝票を貼付した後に、情報表示層１４ａに表示された情報を確認できる。情報表示層１４ａに、表示基材１１に対応したバーコード等を表示しておけば、剥離紙１４は、配送控えに利用できる。通常の剥離紙は、荷物に配送伝票を貼付すると、すぐに廃棄されてしまうが、剥離紙１４は、配送控えに利用できるので、省資源に役立ち、ひいては、環境保護に有益である。さらに、コストの上昇を抑えられる。
【００２１】
（第２実施形態）
図２は、本発明による配送伝票の第２実施形態を示す図である。
なお、前述した第１実施形態と同様な機能を果たす部分には、末尾が共通した符号を付して、重複する説明を適宜省略する。
配送伝票２０は、配送伝票１０に対して、剥離紙の剥離紙基材に圧力で発色する層を有する感圧発色紙２４ｂを使用している。
剥離紙２４は、感圧発色紙２４ｂを剥離紙基材とし、この上面、すなわち、粘着剤層２３の側の面には、シリコーン系離型剤などにより剥離処理がなされている。
剥離紙２４の厚さは、特に限定はされないが、通常２０〜２００μｍ、好ましくは４０〜１００μｍ程度である。
【００２２】
感圧発色紙２４ｂは、原紙２４ｃの表面に、発色層２４ｄと顕色剤層２４ｅとを塗工してある。
発色層２４ｄは、一定の筆圧又は印字圧により破砕される発色カプセルを包含した層である。発色カプセルは、外径が数μｍ程度の大きさのマイクロカプセルの中に、ロイコ染料やフルオラン染料等の発色色素を封入したものである。マイクロカプセル中に発色色素を封入する方法としては、従来より公知のコアセルベーション法や、界面重合法等があげられる。
顕色剤層２４ｅは、活性白土（酸性白土）などの固体酸を顕色剤とする層で、発色層の発色色素と反応することにより読み取り可能に発色する。
また、水性のシリコーン系離型剤を使用する場合は、アルカリ性のものでは、顕色剤と中和して、文字が消失しやすいので、中性〜酸性のものを使用することが望ましい。
【００２３】
配送伝票２０は、以下のように使用する。
（１）荷物依頼主は、コンビニエンスストア等の配送窓口で、配送伝票２０の宛先表示部２１ａ、受領証部２１ｂに必要事項をボールペン等で記入する。
（２）次に、荷物依頼主は、配送伝票２０の剥離紙２４を剥がして、荷物に配送伝票２０を貼付する。
（３）配送伝票２０の剥離紙２４は、感圧発色紙２４ｂを剥離紙基材としているので、宛先表示部２１ａ、受領証部２１ｂに記入された事項が、剥離紙２４にも複写されている。そのため、荷物依頼主及び配送窓口は、剥離紙２４を発送控えに利用することができる。
【００２４】
粘着剤層は、粘度があるので、用紙を複数枚積層した従来の配送伝票に、上述のような感圧発色紙を基材とした剥離紙２４を使用しても、必要事項を書き込む圧力が十分伝わらず感圧発色紙を発色させることができなかった。
しかし、配送伝票２０は、１枚の用紙に粘着剤層２３と、剥離紙２４とを設けているので、剥離紙２４に感圧発色紙を設けても、手書きやインパクトプリンターで、必要事項を書き込む圧力が十分加わり、感圧発色紙を発色させることができる。
【００２５】
本実施形態によれば、配送伝票２０の宛先表示部２１ａ、受領証部２１ｂに、必要事項を手書きやインパクトプリンターで記入すれば、剥離紙２４に記入内容が複写されるので、剥離紙２４を控え票に利用できる。したがって、１種類の配送伝票で、ノンインパクトプリンターを使用すれば、高速印字が可能であり、手書きで記入すれば、容易に控えを取ることが可能な配送伝票が提供できる。さらに、その控えには、通常は、すぐに廃棄されてしまう剥離紙を利用できるので、省資源に役立ち、ひいては、環境保護に有益である。さらに、コストの上昇を抑えられる。
【００２６】
（変形形態）
以上説明した実施形態に限定されることなく、種々の変形や変更が可能であって、それらも本発明の均等の範囲内である。
感圧発色紙２４ｂは、原紙２４ｃの表面に、発色剤と顕色剤をそれぞれ別個にカプセル化し、混合して同一層に塗工した１層タイプと呼ばれるものを使用してもよい。
また、情報記入層に、熱で発色する感熱発色層を設ければ、サーマルプリンタを使用して控えをとることが可能な配送伝票になる。
さらに、配送伝票は、表示基材、印刷層、粘着剤保護層、粘着剤層、剥離紙の順に積層してもよい。その場合、印刷層は、粘着剤保護層の上面に印刷する。
さらにまた、印刷層に表示された内容を見やすくするために、印刷層の下に隠蔽層を設けたり、粘着剤層を着色してもよい。
剥離紙の情報表示層には、バーコード以外の情報を印刷しておいてもよい。たとえば、ポイント表示等をすれば、顧客が、この配送伝票を使用している配送会社を、再度、利用することが期待できる。
【００２７】
【発明の効果】
以上詳しく説明したように、請求項１の発明によれば、表示基材に、宛先表示部と受領証部とを備えるので、ノンインパクトプリンターを使用して、高速印字が可能な配送伝票を提供できる。また、剥離紙は、情報表示層を有するので、配送伝票の利用者は、荷物に配送伝票を貼付した後に、情報表示層に表示された情報を確認できる。
【００２８】
請求項２の発明によれば、剥離紙は、情報記入層を有するので、配送伝票の利用者が、自由に情報を記入できる。
【００２９】
請求項３の発明によれば、剥離紙の情報記入層は、圧力で発色する層であるので、表示基材にボールペン等で記入した内容や、インパクトプリンターで印字した内容を剥離紙に表示することができる。
【図面の簡単な説明】
【図１】本発明による配送伝票の第１実施形態を示す図である。
【図２】本発明による配送伝票の第２実施形態に係る積層状態を示す図である。
【符号の説明】
１０  配送伝票
１１  表示基材
１１ａ  宛先表示部
１１ｂ  受領証部
１１ｅ  切り離し予定線
１１ｆ  剥離層
１２  粘着剤保護層
１２ａ  印刷層
１３  粘着剤層
１４  剥離紙
【図１】
0003868065.tif 000002
【図２】
0003868065.tif 000003